(57)【特許請求の範囲】
【請求項１】
電線の端末部に接続された複数の端子金具と、前記各端子金具を挿入可能な複数のキャビティが形成されたコネクタハウジングと、前記コネクタハウジング内に組み込まれ、前記各キャビティに連通する複数の電線挿入孔が形成されたゴム製の一括ゴム栓とを備え、前記電線挿入孔の内周面には複数のリップが形成され、前記各電線挿入孔には、前記端子金具が通過した後、前記電線が挿入され、前記各リップが前記電線の外周面に弾性的に密着することによって前記電線周りのシールがとられるコネクタであって、
前記一括ゴム栓における互いに隣り合う前記電線挿入孔のうち、一方を第１電線挿入孔、他方を第２電線挿入孔とした場合に、前記第１、第２電線挿入孔の内周面には、それぞれ、前記各リップが形成されるリップ領域と、前記各リップが形成されない非リップ領域とが、前記電線の挿入方向に並んで形成され、かつ、  前記第１電線挿入孔の前記リップ領域と前記第２電線挿入孔の前記非リップ領域とが互いに隣り合う位置に配置され、前記端子金具が前記キャビティに正規挿入されたときに、前記リップ領域の前記各リップに加えて前記非リップ領域の内周面も前記電線の外周面に弾性的に密着するようになっていることを特徴とするコネクタ。
【請求項２】
前記リップ領域同士及び前記非リップ領域同士は、前記第１、第２電線挿入孔の並び方向に関して互いに重なり合わないことを特徴とする請求項１記載のコネクタ。
【請求項３】
前記非リップ領域の内径は、前記リップ領域における前記各リップ間の谷部における内径より小さくされていることを特徴とする請求項１又は２記載のコネクタ。
【請求項４】
前記一括ゴム栓は、前記第１電線挿入孔の前記リップ領域及び前記第２電線挿入孔の前記非リップ領域が形成される一の分割ゴム栓と、前記第１電線挿入孔の前記非リップ領域及び前記第２電線挿入孔の前記リップ領域が形成される他の分割ゴム栓とに、それぞれ分離されることを特徴とする請求項１ないし３のいずれか１項記載のコネクタ。
【請求項５】
前記一括ゴム栓は、前記第１電線挿入孔の前記リップ領域及び前記第２電線挿入孔の前記非リップ領域が形成される部分と、前記第１電線挿入孔の前記非リップ領域及び前記第２電線挿入孔の前記リップ領域が形成される部分とが、一体に連結して構成されていることを特徴とする請求項１ないし３のいずれか１項記載のコネクタ。
【発明の詳細な説明】
【技術分野】
【０００１】
本発明は、コネクタに関する。
【背景技術】
【０００２】
特許文献１には、従来のコネクタが開示されている。これは、複数の端子金具と、各端子金具を挿入可能な複数のキャビティが形成されたコネクタハウジングと、コネクタハウジングの後端部に取り付けられる一括ゴム栓とを備えている。一括ゴム栓には、各キャビティと連通する位置に、複数の電線挿入孔が貫通して形成されている。各電線挿入孔の内周面には、複数のリップが周方向に形成されている。また、端子金具は、電線の端末部に接続され、電線挿入孔からキャビティ内に挿入される。端子金具がキャビティ内に挿入されると、電線が電線挿入孔内に挿入され、これによって各リップが電線の外周面に弾性的に密着し、電線周りのシールがとられるようになっている。
【先行技術文献】
【特許文献】
【０００３】
【特許文献１】特開２０１１−１８５４８号公報
【発明の概要】
【発明が解決しようとする課題】
【０００４】
ところで、多極コネクタの場合には、互いに隣り合うキャビティ間のピッチを狭くすることにより、コネクタハウジングが大型にならないようにすることが求められる。その点、上記のような一括ゴム栓は、キャビティ内に挿入される個別ゴム栓と違って、キャビティ間のピッチをある程度狭くすることが可能となる。しかし、コネクタ小型化の要請により、キャビティ間のピッチをさらに狭くすることが求められることがある。この場合に、例えば、一括ゴム栓における互いに隣り合う電線挿入孔間の肉厚を薄くしたり、各リップの突出高さを低くしたりすると、弾性反力の減退によってシール性が低下するという問題がある。
【０００５】
本発明は上記のような事情に基づいて完成されたものであって、所定のシール性を確保しつつキャビティ間のピッチを狭くすることを目的とする。
【課題を解決するための手段】
【０００６】
上記の目的を達成するための手段として、請求項１の発明は、電線の端末部に接続された複数の端子金具と、前記各端子金具を挿入可能な複数のキャビティが形成されたコネクタハウジングと、前記コネクタハウジング内に組み込まれ、前記各キャビティに連通する複数の電線挿入孔が形成されたゴム製の一括ゴム栓とを備え、前記電線挿入孔の内周面には複数のリップが形成され、前記各電線挿入孔には、前記端子金具が通過した後、前記電線が挿入され、前記各リップが前記電線の外周面に弾性的に密着することによって前記電線周りのシールがとられるコネクタであって、前記一括ゴム栓における互いに隣り合う前記電線挿入孔のうち、一方を第１電線挿入孔、他方を第２電線挿入孔とした場合に、前記第１、第２電線挿入孔の内周面には、それぞれ、前記各リップが形成されるリップ領域と、前記各リップが形成されない非リップ領域とが、前記電線の挿入方向に並んで形成され、かつ、前記第１電線挿入孔の前記リップ領域と前記第２電線挿入孔の前記非リップ領域とが互いに隣り合う位置に配置され、前記端子金具が前記キャビティに正規挿入されたときに、前記リップ領域の前記各リップに加えて前記非リップ領域の内周面も前記電線の外周面に弾性的に密着するようになっているところに特徴を有する。
【０００７】
請求項２の発明は、請求項１に記載のものにおいて、前記リップ領域同士及び前記非リップ領域同士は、前記第１、第２電線挿入孔の並び方向に関して互いに重なり合わないところに特徴を有する。
【０００８】
請求項３の発明は、請求項１又は２に記載のものにおいて、前記非リップ領域の内径は、前記リップ領域における前記各リップ間の谷部における内径より小さくされているところに特徴を有する。
【０００９】
請求項４の発明は、請求項１ないし３のいずれか１項に記載のものにおいて、前記一括ゴム栓は、前記第１電線挿入孔の前記リップ領域及び前記第２電線挿入孔の前記非リップ領域が形成される一の分割ゴム栓と、前記第１電線挿入孔の前記非リップ領域及び前記第２電線挿入孔の前記リップ領域が形成される他の分割ゴム栓とに、それぞれ分離されるところに特徴を有する。
【００１０】
請求項５の発明は、請求項１ないし３のいずれか１項に記載のものにおいて、前記一括ゴム栓は、前記第１電線挿入孔の前記リップ領域及び前記第２電線挿入孔の前記非リップ領域が形成される部分と、前記第１電線挿入孔の前記非リップ領域及び前記第２電線挿入孔の前記リップ領域が形成される部分とが、一体に連結して構成されているところに特徴を有する。
【発明の効果】
【００１１】
＜請求項１の発明＞
互いに隣り合う第１、第２電線挿入孔の内周面にはそれぞれリップ領域と非リップ領域とが電線の挿入方向に並んで形成されているため、リップ領域で所定のシール性を確保することができる。また、第１電線挿入孔のリップ領域と第２電線挿入孔の非リップ領域とが互いに隣り合う位置に配置され、第１電線挿入孔の非リップ領域と第２電線挿入孔のリップ領域とが互いに隣り合う位置に配置されるようになっているから、非リップ領域でリップが形成されない分、第１、第２電線挿入孔間のピッチを狭くすることができ、ひいては隣り合うキャビティ間のピッチを狭くすることができる。
【００１２】
＜請求項２の発明＞
リップ領域同士及び非リップ領域同士が第１、第２電線挿入孔の並び方向に関して互いに重なり合わないため、キャビティ間のピッチをより狭くすることができる。
【００１３】
＜請求項３の発明＞
非リップ領域の内径がリップ領域における各リップ間の谷部における内径より小さくされているため、キャビティ間のピッチをより狭くすることができる。
【００１４】
＜請求項４の発明＞
一括ゴム栓が２つの分割ゴム栓にそれぞれ分割され、両分割ゴム栓によってリップ領域と非リップ領域とが互いに分断されるため、製造が容易で成形金型の構成が簡素化される。
【００１５】
＜請求項５の発明＞
単一の一括ゴム栓として構成されているため、部品点数が増加することがなく、部品管理の煩わしさから解消される。
【図面の簡単な説明】
【００１６】
【図１】本発明の実施形態１に係るコネクタにおいて、コネクタハウジングのキャビティ内に端子金具を挿入する前の状態をあらわす断面図である。
【図２】コネクタハウジングのキャビティ内に端子金具を挿入する途中の状態をあらわす断面図である。
【図３】さらに端子金具の挿入動作が進んだ状態をあらわす断面図である。
【図４】コネクタハウジングのキャビティ内に端子金具が正規挿入された状態をあらわす断面図である。
【図５】コネクタハウジングの後端部にゴム栓押さえが取り付けられた状態をあらわす断面図である。
【図６】前方分割ゴム栓の正面図である。
【図７】図６のＡ−Ａ断面図である。
【図８】前方分割ゴム栓の側面図である。
【図９】ゴム栓押さえの断面図である。
【図１０】本発明の実施形態２に係るコネクタにおいて、コネクタハウジングのキャビティ内に端子金具を挿入する前の状態をあらわす断面図である。
【図１１】コネクタハウジングのキャビティ内に端子金具を挿入する途中の状態をあらわす断面図である。
【図１２】コネクタハウジングのキャビティ内に端子金具が正規挿入され、コネクタハウジングの後端部にゴム栓押さえが取り付けられた状態をあらわす断面図である。
【図１３】一括ゴム栓の側面図である。
【発明を実施するための形態】
【００１７】
＜実施形態１＞
本発明の実施形態１を図１ないし図９によって説明する。実施形態１に係るコネクタは、複数の端子金具１０と、各端子金具１０が収容されるコネクタハウジング２０と、コネクタハウジング２０の後端部に収容される一括ゴム栓６０と、コネクタハウジング２０の後端部に取り付けられ、一括ゴム栓６０の抜け止めをなすゴム栓押さえ９０とを備えている。
【００１８】
端子金具１０は導電性の金属板を曲げ加工等して一体に成形され、図１に示すように、筒状の本体部１１と、本体部１１の前端から前方に突出する雄タブ１２と、本体部１１の後端に連なるバレル部１３とからなる。雄タブ１２は、コネクタハウジング２０が図示しない相手コネクタハウジングに嵌合されるに伴い、相手コネクタハウジングに収容された相手端子金具の箱部内に挿入されて接続される。また、バレル部１３は電線１００の端末部に圧着されて接続される。バレル部１３の幅寸法は雄タブ１２及び本体部１１のそれぞれの幅寸法より大きくされ、バレル部１３は端子金具１０全体の中で最大の断面外径を有している。
【００１９】
コネクタハウジング２０は合成樹脂製であって、図１に示すように、ブロック状のハウジング本体２１を有している。ハウジング本体２１内には、複数のキャビティ２２が前後方向に貫通して形成されている。各キャビティ２２は、ハウジング本体２１の幅方向に並んで整列に配置されている。ハウジング本体２１の各キャビティ２２内には後方から端子金具１０が挿入され、正規挿入された端子金具１０は各キャビティ２２内に本体部１１を収容させ、ハウジング本体２１の前端から前方に雄タブ１２を突出させるようになっている。ハウジング本体２１には図示しないフード部が取り付けられ、雄タブ１２の周りがフード部によって取り囲まれて保護される。ハウジング本体２１の後端部の幅方向両端部には、一対の係止突起２３が形成されている。両係止突起２３には、ゴム栓押さえ９０の係止爪９４（後述する）が係止可能とされている。
【００２０】
一括ゴム栓６０はシリコンゴム等のゴム製であって、図１に示すように、互いに分離された２つの分割ゴム栓６０Ａ、６０Ｂによって構成されている。具体的には、分割ゴム栓６０Ａ、６０Ｂは、ハウジング本体２１の後面に当接する前方分割ゴム栓６０Ａと、前方分割ゴム栓６０Ａの後面に当接する後方分割ゴム栓６０Ｂとからなり、前後方向で互いに重ね合わされて一括ゴム栓６０として構成される。そして、両分割ゴム栓６０Ａ、６０Ｂは、いずれも幅方向に長く前後方向に所定厚みをもったマット状をなし、後述する電線挿入孔６４の内部形状を除いて互いに同形同大とされている。また、両分割ゴム栓６０Ａ、６０Ｂは、いずれも前後方向中央を挟んだ両側で対称な形状をなし、それぞれ前後反転して使用可能とされている。
【００２１】
分割ゴム栓６０Ａ、６０Ｂの幅方向両端部には、図６に示すように、前後方向に貫通する一対の貫通孔６１が形成されている。両貫通孔６１は、縦長の円形をなし、図７に示すように、その内周面に複数の内周リップ６２が形成されている。各内周リップ６２は、貫通孔６１の内周面を周回する形態であって、前後方向に３つ並んで配置されている。両貫通孔６１内には後方からゴム栓押さえ９０の係止片９２（後述する）が挿入され、各内周リップ６２が係止片９２の外周面に弾性的に密着することにより、係止片９２周りのシールがとられるようになっている。また、分割ゴム栓６０Ａ、６０Ｂの外周面には、図８に示すように、複数の外周リップ６３が形成されている。各外周リップ６３は、分割ゴム栓６０Ａ、６０Ｂの外周面を周回する形態であって、前後方向に３つ並んで配置されている。
【００２２】
分割ゴム栓６０Ａ、６０Ｂにおける両貫通孔６１の間には、図７に示すように、前後方向に貫通する複数の電線挿入孔６４が形成されている。各電線挿入孔６４は、ほぼ真円の円形をなし、図１に示すように、各キャビティ２２と連通しつつ幅方向に並んで整列に配置されている。各電線挿入孔６４の内周面には、複数のリップ６５が形成されている。各リップ６５は、電線挿入孔６４の内周面を周回する形態であって、両分割ゴム栓６０Ａ、６０Ｂのそれぞれに前後方向に３つ並んで配置されている。各電線挿入孔６４には後方から電線１００付きの端子金具１０が挿入され、さらに各電線挿入孔６４には、端子金具１０が通過した後、電線１００が挿入される。各リップ６５が電線１００の外周面に弾性的に密着することにより、電線１００周りのシールがとられるようになっている。
【００２３】
さて、図１に示すように、分割ゴム栓６０Ａ、６０Ｂにおける幅方向で互いに隣り合う各電線挿入孔６４のうち、一方を第１電線挿入孔６４Ａとし、他方を第２電線挿入孔６４Ｂとした場合に、第１、第２電線挿入孔６４Ａ、６４Ｂの内周面には、複数のリップ６５が形成されたリップ領域６６と、リップ６５が全く形成されない非リップ領域６７とが、前後方向（電線１００の挿入方向）に並んで形成されている。非リップ領域６７は、凹凸の無い円周面とされ、リップ領域６６における各リップ６５間の谷部の内径や端子金具１０の最大断面径や電線１００の直径より小さく、かつリップ領域６６における各リップ６５の頂点間の内径と同じか又は少し大きい内径を有している。また、非リップ領域６７の内径は、端子金具１０の雄タブ１２の幅寸法とほぼ同じとされている。
【００２４】
分割ゴム栓６０Ａ、６０Ｂの前後両面におけるリップ領域６６及び非リップ領域６７のそれぞれの開口縁には、図７に示すように、テーパ状の誘い込み部６８が拡開して形成されている。端子金具１０は誘い込み部６８によって電線挿入孔６４内に誘い込まれるようになっている。
【００２５】
また、図１及び図７に示すように、第１電線挿入孔６４Ａのリップ領域６６は、第２電線挿入孔６４Ｂの非リップ領域６７と幅方向で隣り合う位置に配置され、第１電線挿入孔６４Ａの非リップ領域６７は、第２電線挿入孔６４Ｂのリップ領域６６と幅方向で隣り合う位置に配置されている。言い換えれば、リップ領域６６及び非リップ領域６７は、第１、第２電線挿入孔６４Ａ、６４Ｂの並び方向（幅方向）に関して交互に形成され、かつ互いに重なり合わない位置に配置されている。
【００２６】
また、リップ領域６６及び非リップ領域６７は、それぞれの分割ゴム栓６０Ａ、６０Ｂの前後方向の全厚に亘って形成されている。前方分割ゴム栓６０Ａのリップ領域６６は、後方分割ゴム栓６０Ｂの非リップ領域６７と前後方向で連通し、前方分割ゴム栓６０Ａの非リップ領域６７は、後方分割ゴム栓６０Ｂのリップ領域６６と前後方向で連通している。このため、リップ領域６６と非リップ領域６７とは、両分割ゴム栓６０Ａ、６０Ｂの相互の対向面（前方分割ゴム栓６０Ａの後面及び後方分割ゴム栓６０Ｂの前面）を境として互いに分断されている。
【００２７】
ゴム栓押さえ９０は合成樹脂製であって、図９に示すように、後方分割ゴム栓６０Ｂの後面に当接可能な平板状の押さえ本体９１と、押さえ本体９１の幅方向両端部から前方に突出する一対の係止片９２とからなる。両係止片９２は押さえ本体９１の前面を支点として撓み変形可能とされている。押さえ本体９１には、各電線挿入孔６４と対向する位置に、複数の電線遊挿孔９３が貫通して形成されている。押さえ本体９１の各電線遊挿孔９３には、電線１００が遊嵌状態で挿入されるようになっている。また、両係止片９２の前端部には、一対の係止爪９４が内向きに突出して形成されている。
【００２８】
次に、本実施形態に係るコネクタの作用を説明する。
各端子金具１０をコネクタハウジング２０に収容させるに際し、図１に示すように、まず各端子金具１０がコネクタハウジング２０の後方に対向して配置される。このとき、各端子金具１０のうち、第１電線挿入孔６４Ａ内に挿入される端子金具１０を第１端子金具１０Ａとし、第２電線挿入孔６４Ｂ内に挿入される端子金具１０を第２端子金具１０Ｂとすると、第１、第２端子金具１０Ａ、１０Ｂは幅方向で互いに交互に配置されることになる。続いて、各端子金具１０は、図２から図４にかけて示すように、コネクタハウジング２０のキャビティ２２内に後方から挿入される。このとき、第１端子金具１０Ａは、後方分割ゴム栓６０Ｂのリップ領域６６から前方分割ゴム栓６０Ａの非リップ領域６７を経て対応するキャビティ２２内に挿入され、第２端子金具１０Ｂは、後方分割ゴム栓６０Ｂの非リップ領域６７から前方分割ゴム栓６０Ａのリップ領域６６を経て対応するキャビティ２２内に挿入される。挿入過程では、リップ領域６６の各リップ６５が本体部１１及びバレル部１３によって弾性的に圧縮され、非リップ領域６７の電線挿入孔６４の内周面が本体部１１及びバレル部１３によって弾性的に押圧される。
【００２９】
各端子金具１０がキャビティ２２内に正規挿入されると、両分割ゴム栓６０Ａ、６０Ｂの各電線挿入孔６４内には電線１００が挿入される。このとき、リップ領域６６の各リップ６５は、電線１００の外周面に弾性的に圧縮されつつ密着し、非リップ領域６７の電線挿入孔６４の内周面は、各リップ６５よりは小さい圧力で電線１００の外周面に弾性的に密着する。したがって、主としてリップ領域６６によって電線１００周りのシールがとられることになる。また、図５に示すように、コネクタハウジング２０に後方からゴム栓押さえ９０が組み付けられ、係止片９２の係止爪９４が係止突起２３に弾性的に係止されることにより、ゴム栓押さえ９０がコネクタハウジング２０に係止されるとともに、ゴム栓押さえ９０とコネクタハウジング２０との間に両分割ゴム栓６０Ａ、６０Ｂが前後方向に弾性的に挟み込まれる。これにより、両分割ゴム栓６０Ａ、６０Ｂがコネクタハウジング２０から抜け出るのが防止されるとともに、電線１００周りのシールが確実にとられる。
【００３０】
以上説明したように、本実施形態によれば、幅方向で互いに隣り合う第１、第２電線挿入孔６４Ａ、６４Ｂの内周面に、それぞれリップ領域６６と非リップ領域６７とが前後方向（電線１００及び端子金具１０の挿入方向）に並んで形成されているため、主としてリップ領域６６で所定のシール性を確保することができる。また、第１電線挿入孔６４Ａのリップ領域６６と第２電線挿入孔６４Ｂの非リップ領域６７とが互いに隣り合う位置に配置されるようになっているから、非リップ領域６７でリップ６５の突出高さ等を考慮しなくてよい分、第１、第２電線挿入孔６４Ａ、６４Ｂ間のピッチを狭くすることができ、ひいては隣り合うキャビティ２２間のピッチを狭くすることができる。
【００３１】
また、リップ領域６６同士及び非リップ領域６７同士が幅方向（第１、第２電線挿入孔６４Ａ、６４Ｂの並び方向）に関して互いに重なり合わないため、キャビティ２２間のピッチをより狭くすることができる。しかも、非リップ領域６７の内径がリップ領域６６における各リップ６５間の谷部における内径より小さくされているため、キャビティ２２間のピッチをよりいっそう狭くすることができる。
【００３２】
また、一括ゴム栓６０が前方分割ゴム栓６０Ａと後方分割ゴム栓６０Ｂとに分割され、両分割ゴム栓６０Ａ、６０Ｂを介してリップ領域６６と非リップ領域６７とが互いに分断されるため、成形金型の構成が簡素化され、両分割ゴム栓６０Ａ、６０Ｂを製造する際の成形性に優れる。
【００３３】
＜実施形態２＞
図１０ないし図１４は、本発明の実施形態２を示す。実施形態２では、一括ゴム栓６０Ｃの形態が実施形態１とは異なる。その他は、実施形態１と同様であり、実施形態１と同様の構成には同一符号を付し、重複する説明は省略する。
【００３４】
一括ゴム栓６０Ｃは、実施形態１と違って、分割ゴム栓６０Ａ、６０Ｂとして２つに分割されておらず、単一のゴム栓として構成される。図１１に示すように、一括ゴム栓６０Ｃには複数の電線挿入孔６４Ｃが前後方向に貫通して形成され、幅方向で互いに隣り合う第１、第２電線挿入孔６４ＡＣ、６４ＢＣにはそれぞれリップ領域６６Ｃと非リップ領域６７Ｃとが前後方向に並んで形成されている。そして、第１電線挿入孔６４ＡＣのリップ領域６６Ｃと第２電線挿入孔６４ＢＣの非リップ領域６７Ｃとが互いに隣り合う位置に配置され、第１電線挿入孔６４ＡＣの非リップ領域６７Ｃと第２電線挿入孔６４ＢＣのリップ領域６６Ｃとが互いに隣り合う位置に配置されるようになっている。この場合に、第１電線挿入孔６４ＡＣのリップ領域６６Ｃは第１電線挿入孔６４ＡＣの非リップ領域６７Ｃに前後方向で一体に連結され、第２電線挿入孔６４ＢＣの非リップ領域６７Ｃは第２電線挿入孔６４ＢＣのリップ領域６６Ｃに前後方向で一体に連結されている。つまり、リップ領域６６Ｃと非リップ領域６７Ｃとは、１つの電線挿入孔６４Ｃにおいて前半部と後半部（又は後半部と前半部）とに分かれて形成されている。リップ領域６６Ｃ及び非リップ領域６７Ｃの形態は、実施形態１と同様である。その他、一括ゴム栓６０Ｃには、両分割ゴム栓６０Ａ、６０Ｂのそれぞれの外周リップ６３Ｃ、貫通孔６１Ｃ、及び内周リップ６２Ｃと対応して、外周リップ６３Ｃ、貫通孔６１Ｃ、及び内周リップ６２Ｃが形成されている（図１３を参照）。
【００３５】
図１０から図１２にかけて示すように、コネクタハウジング２０のキャビティ２２内に端子金具１０が挿入されると、実施形態１と同様、リップ領域６６Ｃの各リップ６５が電線１００の外周面に圧縮状態で弾性的に密着するとともに、非リップ領域６７Ｃの電線挿入孔６４Ｃの内周面が電線１００の外周面に弾性的に密着する。したがって、主としてリップ領域６６Ｃによって電線１００周りのシールがとられることになる。実施形態２によれば、単一の一括ゴム栓６０Ｃにリップ領域６６Ｃ及び非リップ領域６７Ｃの全てが形成されているため、部品点数が増加することがなく、部品管理の煩わしさから解消される。
【００３６】
＜他の実施形態＞
本発明は上記記述及び図面によって説明した実施形態に限定されるものではなく、例えば次のような実施形態も本発明の技術的範囲に含まれる。
（１）第１電線挿入孔のリップ領域と隣り合う位置に、第２電線挿入孔のリップ領域が一部重なり、第１電線挿入孔の非リップ領域と隣り合う位置に、第２電線挿入孔の非リップ領域が一部重なる形態であっても構わない。
（２）端子金具は、箱部を有する雌端子金具であってもよい。
【符号の説明】
【００３７】
１０…端子金具
２０…コネクタハウジング
２２…キャビティ
６０、６０Ｃ…一括ゴム栓
６０Ａ…前方分割ゴム栓（分割ゴム栓）
６０Ｂ…後方分割ゴム栓（分割ゴム栓）
６４、６４Ｃ…電線挿入孔
６４Ａ、６４ＡＣ…第１電線挿入孔
６４Ｂ、６４ＢＣ…第２電線挿入孔
６５…リップ
６６、６６Ｃ…リップ領域
６７、６７Ｃ…非リップ領域
１００…電線
【図１】
0005760870.tif 000002
【図２】
0005760870.tif 000003
【図３】
0005760870.tif 000004
【図４】
0005760870.tif 000005
【図５】
0005760870.tif 000006
【図６】
0005760870.tif 000007
【図７】
0005760870.tif 000008
【図８】
0005760870.tif 000009
【図９】
0005760870.tif 000010
【図１０】
0005760870.tif 000011
【図１１】
0005760870.tif 000012
【図１２】
0005760870.tif 000013
【図１３】
0005760870.tif 000014